(57)【特許請求の範囲】
【請求項１】
表面部と、上面部および裏面部が連なり、
前記表面部と前記裏面部により板状物体をその厚み方向において挟むことにより、前記板状物体に固定され、
前記表面部は磁性体を含み、
前記上面部の幅は、少なくとも前記板状物体の厚さよりも大きく、
前記表面部と前記上面部の接続部よりも、前記裏面部と前記上面部の接続部の方が可動性が高くなるように形成され、
前記表面部と前記上面部はいずれも長方形の板材として形成され、
前記裏面部は、複数の把持片の集合として形成され、
前記表面部と前記上面部はいずれも前記板状物体の長手方向全長にわたって形成されることを特徴とするマグネットによる物品保持具。
【請求項２】
前記表面部の下部には、水平方向に沿ってライン状の突起部が形成されることを特徴とする請求項１に記載のマグネットによる物品保持具。
【請求項３】
請求項１に記載の物品保持具がキッチンシンクの幕板に取り付けられ、かつ、前記表面部が引き出しのライン取っ手と略同一の縦幅を有することを特徴とするキッチンキャビネット。
【請求項４】
請求項１に記載の物品保持具が、引き出しのライン取っ手に取り付けられたことを特徴とするキッチンキャビネット。
【請求項５】
キッチンキャビネットに固定される物品保持具であって、
キッチンシンクの幕板または引き出しの前板を板状物体というとき、
表面部と、上面部および裏面部が連なり、
前記表面部と前記裏面部により前記板状物体をその厚み方向において挟むことにより、前記板状物体に固定され、
前記表面部は磁性体を含み、
前記上面部の幅は、少なくとも前記板状物体の厚さよりも大きく、
前記表面部と前記上面部の接続部よりも、前記裏面部と前記上面部の接続部の方が可動性が高くなるように形成され、
前記表面部と前記上面部はいずれも前記板状物体の長手方向全長にわたって形成されることを特徴とするマグネットによる物品保持具。
【発明の詳細な説明】
【技術分野】
【０００１】
本発明は、マグネットで物品を保持するための器具に関する。
【背景技術】
【０００２】
写真やカレンダー、メモなどさまざまな小物を壁面に取り付けるための構造として、吸盤や壁掛け金具、マグネットなどがある（たとえば、特許文献１参照）。マグネットで物品を取り付けるタイプは、磁性を有する壁面にしか対応できないものの、手軽でありながら強力な保持が可能というメリットがある。
【先行技術文献】
【特許文献】
【０００３】
【特許文献１】特開２０１１−３５９号公報
【発明の概要】
【発明が解決しようとする課題】
【０００４】
一般的には、キッチンにおいて、マグネットを取り付け可能な場所は冷蔵庫など一部の磁性体製品の壁面に限られることが多い。このため、冷蔵庫の表面がマグネットだらけになってしまうこともある。見栄えや利便性を考えると、冷蔵庫以外の非磁性体製品にもマグネットを取り付け可能であることが好ましいと本発明者は認識した。
【０００５】
本発明は、上記課題に鑑みてなされたものであり、その主たる目的は、キッチンキャビネットなどの非磁性体物品に対して簡単に取り付けられる物品保持具により、非磁性体物品にマグネットを取り付け可能とするための技術、を提供することにある。
【課題を解決するための手段】
【０００６】
上記課題を解決するために、本発明のある態様のマグネットによる物品保持具は、表面部と、上面部および裏面部が連なる構成を有し、表面部と裏面部により板状物体をその厚み方向において挟むことにより、板状物体に固定される。表面部は磁性体を含む。上面部の幅は、少なくとも板状物体の厚さよりも大きく、表面部と上面部の接続部よりも、裏面部と上面部の接続部の方が可動性が高くなるように形成され、表面部と上面部はいずれも長方形の板材として形成され、裏面部は、複数の把持片の集合として形成され、表面部と上面部はいずれも板状物体の長手方向全長にわたって形成される。
【０００７】
ここでいう「可動性」とは、ある力を受けたときの変位のしやすさ、いいかえれば、しなやかさを意味する。たとえば、接続部が金属の折り曲げにより形成される場合には、その接続部の材質や幅の違いが接続部の剛性を決定づけるかもしれない。この場合には剛性が「可動性」を決定づける要因になるかもしれない。接続部がヒンジ構造として形成される場合には、ヒンジの固さが可動性を決定づける要因になるかもしれない。
【０００８】
このような態様によれば、板状物体を表面部と裏面部でクリップのように挟むことにより簡単に取り付け可能な物品保持具を提供できる。この物品保持具の表面部は磁性体を含むため、マグネットを取り付けるためのプレートとして利用できる。また、板状物体から受ける反発力は、表面部と上面部の接続部よりも裏面部と上面部の接続部を大きく可動（変位）させるため、表面部と板状物体の位置関係を安定させやすくなる。
【０００９】
表面部と上面部はいずれも長方形の板材として形成され、裏面部は、複数の把持片の集合として形成されてもよい。
【００１０】
裏面部を複数の把持片とすることにより、上面部と裏面部（把持片）の接続部が変位しやすくなる。このため、簡単な構成で、表面部と上面部の接続部よりも、裏面部と上面部の接続部の方が可動性が高くなる、という設計要件を実現しやすくなる。
【００１１】
表面部の下部には、水平方向に沿ってライン状の突起部が形成されてもよい。表面部に取り付けられたマグネットが自重で下がってきたときにライン上の突起部でそれを支えることにより、マグネットが落下するのを防ぎやすくなる。
【００１２】
本発明のある態様におけるキッチンキャビネットは、上述の物品保持具がキッチンシンクの幕板に取り付けられ、かつ、表面部が引き出しのライン取っ手と略同一の縦幅を有するを有してもよい。
【００１３】
このような態様によれば、キッチンシンクの幕板という従来は利用されていなかったデッドスペースをマグネットの取り付け可能領域として利用しやすくなる。また、物品保持具の表面部、すなわち、外部から視認可能な部分の少なくとも縦幅をライン取っ手の縦幅とほどんど同一となるように形成することにより、物品保持具を取り付けたあともキッチンキャビネット全体としての統一感を維持しやすくなる。
【００１４】
本発明のある態様におけるキッチンキャビネットは、上述の物品保持具が、引き出しのライン取っ手に取り付けられてもよい。
【発明の効果】
【００１５】
本発明によれば、非磁性体物品に取り付けられることにより、非磁性体物品にマグネットを取り付け可能とする物品保持具を提供できる。
【図面の簡単な説明】
【００１６】
【図１】本実施形態におけるキッチンキャビネットの正面図である。
【図２】マグネットプレートの表側からの斜視図である。
【図３】マグネットプレートの裏側からの斜視図である。
【図４】マグネットプレートの側断面図である。
【発明を実施するための形態】
【００１７】
図１は、本実施形態におけるキッチンキャビネット１００の正面図である。
キッチンキャビネット１００は、シンク１０６と調理用加熱器１１２が取り付けられており、複数の引き出し１０２ａ〜１０２ｇを含む。引き出し１０２は、ライン取っ手１０８を有する。引き出し１０２の前板は、通常、木質素材（集成材、単板積層材、合板、パーティクルボード、ファイバーボードなど）や合成樹脂、アルミニウムなどの非磁性体材料により形成される。このため、本来、キッチンキャビネット１００の引き出し１０２にマグネットを取り付けることは不可能である。
【００１８】
幕板１０４は、シンク１０６を遮蔽する。幕板１０４も引き出し１０２と同じ非磁性体材料により形成されるため、幕板１０４にもマグネットを取り付けることはできない。本実施形態においては、この幕板１０４の上部にマグネットプレート１１０（マグネットによる物品保持具）が取り付けられる。
【００１９】
マグネットプレート１１０とライン取っ手１０８は、外観上は見分けがつかないほど表面形状が同一であることが望ましい。少なくとも、マグネットプレート１１０の縦幅（ｙ方向の幅）とライン取っ手１０８の縦幅は略同一（誤差５％以内）であることが望ましい。その上で、デザイン（表面の凹凸形状や彩色模様）および材質の双方または一方が同一とみなし得るほど類似していればなおよい。これは、多くの引き出し１０２の上部にあるライン取っ手１０８と、引き出しではない幕板１０４の上部にあるマグネットプレート１１０に統一感をもたせるためである。すなわち、「引き出し」ではない幕板１０４があたかもライン取っ手１０８付きの引き出しであるかのようにみせることが望ましい。
本実施形態におけるマグネットプレート１１０の横幅（ｘ幅）は１５００ミリメートルであるが、マグネットプレート１１０の横幅はシンク１０６の大きさに応じて任意に設定可能である。
【００２０】
図２は、マグネットプレート１１０の表側からの斜視図である。図３は、マグネットプレート１１０の裏側からの斜視図である。
マグネットプレート１１０は、厚さ約７ミリメートルの電気亜鉛めっき鋼板を折り曲げ成形することにより形成される。必要に応じて表面は任意の色にて塗装される。上述の理由により、ライン取っ手１０８と同色または同系色の着色がなされることが望ましい。マグネットプレート１１０は、表面部１１４、上面部１１６および裏面部１２４の３つのパーツに大別できる。表面部１１４は、キッチンキャビネット１００の表面に露出する部分であり、取付面１２０とその下のライン突起１１８を含む。取付面１２０は、シンプルな平面形状であり、ここにマグネットが取り付けられる。したがって、表面部１１４、少なくとも、取付面１２０は磁性体を含んで形成される必要がある。
【００２１】
取付面１２０の下には水平方向（ｘ方向）に延びるライン突起１１８が形成される。取付面１２０には、マグネットにより写真やメモなどを留めてもよいし、マグネットクリップによりもう少し重いものを留めてもよい。ライン突起１１８は、取付面１２０に取り付けられたマグネットがずり落ちるのを防止する。ライン突起１１８は、衣服などがひっかからないように丸みを帯びた形状にて形成される（図４も参照）。
【００２２】
表面部１１４と上面部１１６は、第１接続部１２６においてほぼ直角に折り曲げられる。上面部１１６は、図４に関連して後述するが、幕板１０４の断面上に位置する。
【００２３】
本実施形態における裏面部１２４は、複数の把持片１２２ａ〜１２２ｅの集合体として形成される。把持片１２２と上面部１１６は、第２接続部１２８において約８３度の角度にて折り曲げられる。すなわち、把持片１２２は内側方向（ｚ軸正方向）に折り曲げられている。本実施形態においては、約１５００ミリメートルの横幅を有するマグネットプレート１１０に対して、１５〜２５ミリメートル程度の横幅を有する把持片１２２が５枚設置される。把持片１２２の位置は任意であるが、マグネットプレート１１０と幕板１０４との取り付けを安定させるためには少なくともそのうちの２枚はマグネットプレート１１０の両端部付近に設けられることが望ましい。
【００２４】
図４は、マグネットプレート１１０の側断面図である。
本実施形態における幕板１０４（板状物体）は、芯材の上に表面材を接着することにより形成される。芯材の厚みは１５ミリメートル程度であり、表面材を合わせた幕板１０４の厚みは１５．９〜１６．６ミリメートル程度である。このように幕板１０４の厚みは多少のばらつきを生じることがある。
【００２５】
マグネットプレート１１０は、幕板１０４の上部分を表面部１１４と裏面部１２４（把持片１２２）によりクリップのように挟み込むことで幕板１０４に取り付けられる。表面部１１４の高さは３５．７ミリメートル、上面部１１６の幅（ｚ方向の長さ）は１８ミリメートルである。上面部１１６の幅は、幕板１０４の厚み（ｚ方向の長さ）よりも長い。これは、第２接続部１２８の可動領域を確保するためである。把持片１２２は、第２接続部１２８においてやや内側（ｚ軸正方向）に折り曲げられている。本実施形態におけるマグネットプレート１１０は１３．５ミリメートル以上の厚みがある板状物体を挟むことができる。
【００２６】
マグネットプレート１１０の表面部１１４と裏面部１２４（把持片１２２）を開いて、幕板１０４を表裏両面から挟み込む。このとき、幕板１０４の反発力が、表面部１１４と把持片１２２にかかるので、表面部１１４と上面部１１６を接続する第１接続部１２６と、上面部１１６と把持片１２２を接続する第２接続部１２８はどちらも開角しようとする。
【００２７】
もし、第１接続部１２６の可動性、すなわち、あるストレスに対する変位（開角）のしやすさと、第２接続部１２８の可動性が同一であるときには、幕板１０４の反発力により、第２接続部１２８と第１接続部１２６が同程度に開角することになる。このときには、表面部１１４と把持片１２２の両方がせり出してくることになる。第１接続部１２６が大きく開角すると、取付面１２０が幕板１０４から部分的に離脱して突き出てくるため、美観の点でも使用感の点でも好ましくない。
【００２８】
本実施形態の場合、第１接続部１２６はマグネットプレート１１０の横幅全域にわたる長さであるのに対して、第２接続部１２８は小さな把持片１２２の小さな横幅分しかないので、第１接続部１２６よりも第２接続部１２８の剛性の方がはるかに小さい。いいかえれば、第１接続部１２６よりも第２接続部１２８の方が、しなやかに開角しやすい。このため、第１接続部１２６はほとんど開角することはなく、第２接続部１２８のみが開角する。
【００２９】
マグネットプレート１１０が幕板１０４を挟んだとき、幕板１０４からの反発力（ストレス）を受けてひずむ場所が把持片１２２と上面部１１６の第２接続部１２８に局所化されることになる。把持片１２２は前後に変位しやすいが、表面部１１４は変位しにくいため、表面部１１４が前面に浮き出にくい構成となっている。
【００３０】
まとめると、上面部１１６と表面部１１４の第１接続部１２６は、ストレスを受けても開角しにくい高い剛性（低い可動性）を有し、上面部１１６と把持片１２２（裏面部１２４）の第２接続部１２８は、ストレスを受けたときに開角しやすい低い剛性（高い可動性）を有するように構成している。このため、マグネットプレート１１０が幕板１０４を挟むときに幕板１０４から受けるストレスは第２接続部１２８の高い可動性によってもっぱら吸収されることになる。
【００３１】
以上、実施形態に基づいてマグネットプレート１１０とそれを取り付けたキッチンキャビネット１００について説明した。
マグネットプレート１１０の取り付けにより、キッチンキャビネット１００のような非磁性体製品でもマグネットによる物品保持が可能となる。冷蔵庫にマグネットでメモを留める場合、幼児の目線からは高すぎてうまく見えないこともある。一方、シンク１０６の前面に位置する幕板１０４は幼児の目線に近い。このため、幕板１０４のマグネットプレート１１０にメモや写真を取り付けることができれば、幼児とのコミュニケーションが円滑になるというメリットある。
【００３２】
幕板１０４は本来、シンク１０６を隠すためだけに存在しており、幕板１０４の表面は特に利用されていないスペースである。このようないわばデッドスペースに「おやつはＸＸにおいてあるよ」「家から帰ったら手を洗いなさい」のような各種の伝言を残すことができるので、空間利用の面でも有用である。
【００３３】
幕板１０４は、横方向に長い形状であるため多少の反りが生じることもあるが、マグネットプレート１１０の裏面部１２４は一枚のプレートではなく複数の把持片１２２により構成される。このため、マグネットプレート１１０も幕板１０４の反りに対応して多少変形しやすくなっている。また、全体として剛性の高いマグネットプレート１１０を幕板１０４に取り付けることにより、幕板１０４の反りを抑制する効果もある。
【００３４】
マグネットプレート１１０は幕板１０４にクリップのように挟んで取り付けるだけの簡単な構造で、キッチンキャビネット１００のような非磁性体物品にもマグネットによる物品保持機能を付与できる。キッチンキャビネット１００の幕板１０４や引き出し１０２は、リビングなどの居住空間からみて死角となっている。このため、キッチンキャビネット１００にさまざまな小物を取り付けても、リビングルームなどからそれらの小物が視認されることはない。このため、冷蔵庫にマグネットで小物を取り付ける場合に比べて、リビングからキッチンを見たときに乱雑さを感じにくくなる。
【００３５】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００３６】
本実施形態においては、マグネットプレート１１０を幕板１０４に取り付けたが、マグネットプレート１１０は引き出し１０２のライン取っ手１０８に取り付けてもよい。また、マグネットプレート１１０は、幕板１０４とライン取っ手１０８の両方に取り付けられてもよい。更に、キッチンキャビネット１００だけでなく、本棚の引き出しや机、サッシなど本実施形態におけるマグネットプレート１１０の接続構造はさまざまな非磁性体製品に対しても適用可能である。
【００３７】
本実施形態のマグネットプレート１１０は、上面部１１６と表面部１１４、把持片１２２を一体成形かつ折り曲げ成形により形成したが、折り曲げ以外の方法で表面部１１４、上面部１１６および把持片１２２を連結してもよい。たとえば、上面部１１６と表面部１１４、把持片１２２を互いにヒンジ構造により接続してもよい。このときにも、幕板１０４などの把持対象物体からの反発力をもっぱら把持片１２２の変位で吸収できるように、第１接続部１２６の可動性（ヒンジのやわらかさ）よりも第２接続部１２８の可動性（ヒンジのやわらかさ）を大きくする必要がある。
【００３８】
表面部１１４は、取付面１２０にマグネットを取り付けるため磁性体でなければならないが、上面部１１６や把持片１２２は必ずしも磁性体である必要はない。少なくとも、取付面１２０が磁性を有していればよい。
【００３９】
裏面部１２４は、把持片１２２の集合でなく、一枚のプレートとして形成されてもよいし、他の形状であってもよい。どのような形状であろうとも、第１接続部１２６の可動性よりも第２接続部１２８の可動性は大きくなければならない。
【符号の説明】
【００４０】
１００  キッチンキャビネット、  １０２  引き出し、  １０４  幕板、  １０６  シンク、  １０８  ライン取っ手、  １１０  マグネットプレート、  １１２  調理用加熱器、  １１４  表面部、  １１６  上面部、  １１８  ライン突起、  １２０  取付面、  １２２  把持片、  １２４  裏面部、  １２６  第１接続部、  １２８  第２接続部。
【図１】
0006374264.tif 000002
【図２】
0006374264.tif 000003
【図３】
0006374264.tif 000004
【図４】
0006374264.tif 000005